(57)【特許請求の範囲】
【請求項１】
携帯端末機（１００）の発光ダイオードから発光される光源を介して保護カバー（２００）を発光させる色変換される発光機構を有する携帯端末機用保護カバーであって、
前記保護カバー（２００）の内壁面に付着されてボディに多数個の通過孔（１２）が一定の間隔を置いて形成された光源遮断部（１０）と、
前記通過孔（１２）に付着されて前記発光ダイオードの光源が透過される互いに異なる色相を有する多数個の色相提供部（２０）と、
前記保護カバー（２００）の内壁面に加工され、前記色相提供部（２０）を通過する光源を拡散させる光源拡散部（３０）、及び
前記保護カバー（２００）の外壁面にヒンジ式に結合され、前記色相提供部（２０）を経由する光源を前記光源拡散部（３０）に反射する光源反射部（４０）とを含み、
前記光源遮断部（１０）は、光源出口（１１０）と対応する位置に光源が通過する切欠け部（１６）が形成され、
前記光源拡散部（３０）は、前記保護カバー（２００）の内壁面にレーザー加工を通じて加工され、前記光源を乱反射させて前記保護カバー（２００）の全体に拡散させるキャラクター形状を有する光源拡散溝（３２）が形成されたことを特徴とする色変換される発光機構を有する携帯端末機用保護カバー。
【請求項２】
前記光源遮断部（１０）は、
前記通過孔（１２）の間に発光ダイオードの光源を遮断する遮断壁（１４）が形成されたことを特徴とする請求項１に記載の色変換される発光機構を有する携帯端末機用保護カバー。
【請求項３】
前記光源反射部（４０）は、
前記携帯端末機（１００）によるカメラ撮影の時、光源出口（１１０）を選択的に露出させる光源露出部（４２）が形成されたことを特徴とする請求項１に記載の色変換される発光機構を有する携帯端末機用保護カバー。
【請求項４】
前記光源反射部（４０）は、
前記保護カバー（２００）との間隔を保持することはもちろん、前記保護カバー（２００）との摩擦力を減らす多数個の間隔保持突起（４４）が形成されたことを特徴とする請求項１に記載の色変換される発光機構を有する携帯端末機用保護カバー。
【発明の詳細な説明】
【技術分野】
【０００１】
本発明は、携帯端末機の保護カバーに装着されて発光ダイオードの光源を発光する発光機構に関するものであって、特に、発光ダイオードの光源を多様な色相に変換することはもちろん、消費者が所望するパターンや文様を提供できるようにした色変換される発光機構を有する携帯端末機用保護カバーに関するものである。
【背景技術】
【０００２】
一般的に、携帯端末機は消費者が手で把持したり、ポケット、或はかばんに収納していながら通信を遂行する電装品であって、この携帯端末機としては、通信目的の携帯電話はもちろん、インターネットのような個人通信機能が強化されたスマートフォンをはじめ、ＰＤＡのような小型コンピュータが広く使用されている。
【０００３】
ここで、前記携帯端末機は購入状態のまま使用する場合もあるが、合成樹脂材で成形されて製作されるため硬いだけでなく硬質であるので、衝撃により簡単に破損される短所を含めており、傷防止や審美感向上及び衝撃緩和の目的で通常的に保護カバーに収納して使用する。
【０００４】
ところが、前記保護カバーに前記携帯端末機を収納し携帯している過程で、例えば、前記携帯端末機がマナーモードに設定されていたり、又は暗い空間、又は両面型保護カバーに収納されている場合、消費者がかかってきた電話やメールを正確に認知することが難しくて不便さを招くことになる。
【０００５】
したがって、前記保護カバーに前記携帯端末機が収納されても電話やメールの受信を効果的に知らせるために、前記保護カバーにＬＥＤランプを備えたり、光ファイバ発光器を備えたり、発光ディスプレイを備えて消費者に便利性を提供するさまざまな発光機構が開発されて使われている。
【０００６】
ところが、前記携帯端末機は自体の機能はもちろん、デザインも非常に重要な評価項目と認められており、これによって前記携帯端末機がいくら美しくデザインされても長期間使用時には退屈を誘発させることができて、消費パターンによって買い替えサイクルがだんだん減っている問題点があった。
【０００７】
さらに、前記保護カバーに発光機構をさらに備えて便利性を増大しても発光目的以外に消費者の審美感や満足度を極大化させなければ、需要創出が難しく、消費者が望むデザインを有する保護カバーを引き続き購入しなければならないという非経済的で煩わしい問題点が発生する。
【０００８】
したがって、前記保護カバーに構成された発光機構に多様な色相を付加することで、
消費者が所望するパターンや色相に多様に変換できるようにして審美感や満足度を極大化させる研究が切実な実情であった。
【先行技術文献】
【特許文献】
【０００９】
【特許文献１】韓国登録実用新案公報第２０−０３４１８２６号（登録日付：２００４．０２．１４）
【発明の概要】
【発明が解決しようとする課題】
【００１０】
よって、本発明は、前記の目的を達成するためのものであって、前記発光ダイオードの光源を多様な色相に変換することはもちろん、消費者が所望するパターンや文様を提供して満足度を極大化させることができるようにした色変換される発光機構を有する携帯端末機用保護カバーを提供することにその目的がある。
【課題を解決するための手段】
【００１１】
前記の目的を達成するための本発明は、携帯端末機の発光ダイオードから発光される光源を介して保護カバーを発光させる色変換される発光機構を有する携帯端末機用保護カバーであって、前記保護カバーの内壁面に付着されてボディに多数個の通過孔が一定の間隔を置いて形成された光源遮断部と、前記通過孔に付着されて前記発光ダイオードの光源が透過される互いに異なる色相を有する多数個の色相提供部と、前記保護カバーの内壁面に加工され、前記色相提供部を通過する光源を拡散させる光源拡散部、および前記保護カバーの外壁面にヒンジ式に結合され、前記色相提供部を経由する光源を前記光源拡散部に反射する光源反射部とを含む。 
【発明の効果】
【００１２】
以上のように、本発明による携帯端末機用保護カバーは、少なくとも次の効果を含む。
【００１３】
第一、前記携帯端末機の発光ダイオードから発生する光源が前記保護カバーを介して多数個の色相に変換されるので、前記保護カバーの消費者に所望のパターンや色相を提供することができるため、製品品質が向上する。
【００１４】
第二、前記保護カバーに前記光源反射部をヒンジ式に結合することで、前記携帯端末機によるカメラの撮影過程において、前記保護カバーをはがさなくても撮影作業が可能になって不便さが除去されて満足度が極大化される。
【００１５】
第三、前記の保護カバーの内壁面にレーザー加工を通じて所望するキャラクターや形状を有する前記光源拡散部を形成することで、前記保護カバーの多品種少量生産が可能となり、製造工程及び、製造コストが削減され、経済的である。
【図面の簡単な説明】
【００１６】
図１は、本発明による保護カバーの分離状態を示す拡大斜視図である。
【００１７】
図２は、本発明による保護カバーの発光機構を示す分解斜視図である。
【００１８】
図３の（ａ）及び（ｂ）は、本発明による保護カバーの発光機構が設けられた状態を示す組立断面図である。
【００１９】
図４の（ａ）及び（ｂ）は、本発明による保護カバーのカメラ作動状態及びカメラ非作動状態を示す概念図である。
【発明を実施するための形態】
【００２０】
以下、本発明による実施例を説明すると次のようになる。 
【００２１】
図１乃至４のように本発明は、携帯端末機１００の発光ダイオードから発光される光源を介して、保護カバー２００を発光させる色変換される発光機構を有する携帯端末機用保護カバーであって、前記保護カバー２００の内壁面に付着されてボディに多数個の通過孔１２が一定の間隔を置いて形成された光源遮断部１０と、前記通過孔１２に付着されて前記発光ダイオードの光源が透過される互いに異なる色相を有する多数個の色相提供部２０と、前記保護カバー２００の内壁面に加工されて色相提供部２０を通過する光源を拡散させる光源拡散部３０、および前記保護カバー２００の外壁面にヒンジ式に結合されて前記色相提供部２０を経由する光源を前記光源拡散部３０に反射する光源反射部４０とを含む。
【００２２】
まず、本発明による発光機構１は、前記携帯端末機１００の発光ダイオードから発散される光源が前記光源遮断部１０を選択的に通過した状態で、前記光源反射部４０によって反射された後、前記光源拡散部３０の光源拡散溝３２に沿って周辺に発光することに特徴があることを付言する。
【００２３】
そして、前記携帯端末機１００は、携帯電話やスマートフォンやＰＤＡのように、消費者が携帯したり、またはかばんやポケットに収納できる全ての電装品を意味し、特に前記携帯端末機１００のボディ背面に前記発光ダイオードから発生する光源が発散される光源出口１１０が形成される。
【００２４】
そして、前記保護カバー２００は、前記携帯端末機１００に被せられ外部衝撃からの破損や損傷を防止するものであって、ポリカーボネートやウレタンを含めた素材を加工して透明体で形成することが望ましい。
【００２５】
もちろん、前記保護カバー２００として、前記携帯端末機１００を包むことができる透明素材であれば本願の技術範疇に含まれることは当然である。
【００２６】
また、前記保護カバー２００の内壁面には、前記光源遮断部１０が設けられる設置位置（Ａ）が構成され、特に前記設置位置（Ａ）には、光源を乱反射して保護カバーに全体的に拡散させる多数個のプリズムホールが形成される。
【００２７】
そして、前記光源遮断部１０は、前記保護カバー２００の設置位置（Ａ）に付着されて前記光源出口１１０から発散される光源を通過または遮断させるものであって、前記発光ダイオードから発散される光源が通過する多数個の通過孔１２、および前記通過孔１２らの間に構成されて、前記発光ダイオードの光源を遮断する遮断壁１４が一定間隔を置いて規則的に形成される。
【００２８】
また、前記光源遮断部１０には、前記光源出口１１０と対応する位置に所定の大きさの切欠け部１６が凹に形成される。
【００２９】
この時、前記光源遮断部１０は、前記色相提供部２０を固定することはもちろん、前記発光ダイオードの光源が混入されないように不透明材質で形成する。
【００３０】
そして、前記色相提供部２０は、前記通過孔１２に付着されて、前記発光ダイオードから発生する光源が透過するものであって、前記発光ダイオードの光源が容易に透過できるように透明フィルムまたは半透明フィルムが望ましく、前記通過孔１２に両面テープで付着することが望ましい。
【００３１】
また、前記色相提供部２０の色には、Ｂｌｕｅ、Ｐｉｎｋ、Ｒｅｄを含めて少なくとも３つ以上の色相で構成することが望ましい。
【００３２】
そして、前記光源拡散部３０は、前記保護カバー２００の内壁面にレーザー加工されて、前記色相提供部２０を透過する光源及び前記光源反射部４０から反射される光源を拡散させるものであって、前記光源を乱反射させて、前記保護カバー２００の全体に拡散させるキャラクター形状の光源拡散溝３２が形成される。
【００３３】
この時、前記光源拡散溝３２は、前記保護カバー２００の内壁面にレーザー加工を通じて形成されたＵ字形状の溝やＶ字形状の溝やチャンネル形状の溝を意味する。
【００３４】
そして、前記光源反射部４０は、前記保護カバー２００の外壁面、望ましくは前記光源遮断部１０と向き合う地点にヒンジピン４６を介して結合されたものであって、前記色相提供部２０を経由する光源及び前記設置位置（Ａ）のプリズム作用によって拡散される光源を前記光源拡散部３０に反射する。
【００３５】
この時、前記光源反射部４０の内壁面をクロムメッキで光沢処理して、前記光源の反射効率を極大化することが望ましい。
【００３６】
また、前記光源反射部４０には、前記光源出口１１０と対応する位置に光源露出部４２が形成されて、前記保護カバー２００をはがしていない状態で前記携帯端末機１００によるカメラ撮影を可能にする。
【００３７】
また、前記光源反射部４０の内壁面には前記保護カバー２００との一定の間隔を保持することはもちろん、前記保護カバー２００との摩擦力を減らして前記ヒンジピン４６の回転力を円滑に保持させる多数個の間隔保持突起４４が形成される。
【００３８】
次に、本発明による作用について説明する。 
【００３９】
まず、前記保護カバー２００に発光機構１を構成する場合、まず前記保護カバー２００の内壁面に設置位置（Ａ）を加工することはもちろん、前記レーザー加工を通じて前記光源拡散溝３２を形成する過程が必要である。
【００４０】
続いて、前記保護カバー２００の設置位置（Ａ）に前記光源遮断部１０を付着して固定させ、前記光源遮断部１０の通過孔１２に消費者が所望する色相を有する前記色相提供部２０を付着する。
【００４１】
続いて、前記保護カバー２００の外壁面、すなわち前記光源遮断部１０と対応する位置にヒンジピン４６を介して前記光源反射部４０を結合すると、前記発光機構１の構成による作業が完了することである。
【００４２】
こうすれば、前記色相提供部２０に透過された光源が前記設置位置（Ａ）のプリズム現象及び前記光源反射部４０の反射現象によって拡散され、特に前記光源拡散溝３２のレーザー加工面に沿ってさらに拡散される。
【００４３】
さらに、前記光源遮断部１０の通過孔１２に、多様な色相を有する多数個の色相提供部２０が付着された状態であるので、前記光源出口１１０の光源が前記保護カバー２００の周辺に多様な色相で発光される。
【００４４】
一方、前記携帯端末機１００のカメラを使用する場合は、図４の（ａ）のように、前記光源反射部４０を回転して光源出口１１０を露出すると、前記保護カバー２００をはがさなくても撮影作業が可能である。
【符号の説明】
【００４５】
１００      携帯端末機
１１０      光源出口 
２００      保護カバー
１０        光源遮断部
１２        通過孔
１４        遮断壁
２０        色相提供部
３０        光源拡散部
３２        光源拡散溝
４０        光源反射部
４２        光源露出部
４４        間隔保持突起
４６        ヒンジピン
【図１】
0005893223.tif 000002
【図２】
0005893223.tif 000003
【図３（ａ）】
0005893223.tif 000004
【図３（ｂ）】
0005893223.tif 000005
【図４】
0005893223.tif 000006